【手続補正書】
【提出日】平成26年11月28日(2014.11.28)
【手続補正１】
【補正対象書類名】明細書
【補正対象項目名】発明の名称
【補正方法】変更
【補正の内容】
【発明の名称】撮像装置、及び撮像装置の制御方法
【手続補正２】
【補正対象書類名】明細書
【補正対象項目名】０００１
【補正方法】変更
【補正の内容】
【０００１】
本発明は撮像装置、及び撮像装置の制御方法に関し、特に、輝度シェーディング補正による画像周辺部の画像品質の低下度合い及び低下頻度を軽減する技術に関する。
【手続補正３】
【補正対象書類名】明細書
【補正対象項目名】００１１
【補正方法】変更
【補正の内容】
【００１１】
本発明に係る第１の撮像装置は、被写体からの光を結像するレンズと、前記レンズにより結像された光学像を電気信号に変換する撮像素子と、前記撮像素子に結像される光の透光／遮光を制御する遮光手段と、前記撮像素子から出力される電気信号を画像データに変換する信号処理手段と、前記信号処理手段により変換された画像データに対して輝度シェーディング補正を行う補正手段と、前記遮光手段により遮光された状態で遮光画像を撮影し、得られた遮光画像の画像データから暗電流ムラ量を示す演算値を求め、前記補正手段が前記輝度シェーディング補正に用いる補正量を前記演算値の大きさに基づいて決定する制御手段と、を備えることを特徴とする。
【手続補正４】
【補正対象書類名】明細書
【補正対象項目名】００１２
【補正方法】変更
【補正の内容】
【００１２】
本発明に係る第２の撮像装置は、被写体からの光を結像するレンズと、前記レンズにより結像された光学像を電気信号に変換する撮像素子と、前記撮像素子に結像される光の透光／遮光を制御する遮光手段と、前記撮像素子から出力される電気信号を画像データに変換する信号処理手段と、前記信号処理手段により変換された画像データに対して輝度シェーディング補正を行う補正手段と、前記補正手段が前記輝度シェーディング補正に用いる補正量を撮影時の撮影条件に基づいて決定する制御手段と、を備えることを特徴とする。
【手続補正５】
【補正対象書類名】特許請求の範囲
【補正対象項目名】全文
【補正方法】変更
【補正の内容】
【特許請求の範囲】
【請求項１】
被写体からの光を結像するレンズと、
前記レンズにより結像された光学像を電気信号に変換する撮像素子と、
前記撮像素子に結像される光の透光／遮光を制御する遮光手段と、
前記撮像素子から出力される電気信号を画像データに変換する信号処理手段と、
前記信号処理手段により変換された画像データに対して輝度シェーディング補正を行う補正手段と、
前記遮光手段により遮光された状態で遮光画像を撮影し、得られた遮光画像の画像データから暗電流ムラ量を示す演算値を求め、前記補正手段が前記輝度シェーディング補正に用いる補正量を前記演算値の大きさに基づいて決定する制御手段と、を備えることを特徴とする撮像装置。
【請求項２】
前記制御手段は、前記遮光画像の画像データを複数の領域に分割し、それぞれの領域について前記演算値を求め、前記演算値が最も大きい領域に対応する前記撮像素子の記録画素領域における位置及び前記演算値の大きさに基づいて、前記補正量を決定することを特徴とする請求項１に記載の撮像装置。
【請求項３】
前記制御手段は、前記遮光画像の画像データを、ｍ，ｎを自然数として、ｍ×ｎの領域に分割することを特徴とする請求項２に記載の撮像装置。
【請求項４】
前記制御手段は、前記複数の領域のうち、前記演算値が最も大きい領域が前記撮像素子の記録画素領域の周辺部に位置する場合には、前記演算値が最も大きい領域が前記撮像素子の記録画素領域の中央部に位置する場合よりも前記補正量を小さく設定することを特徴とする請求項２又は３に記載の撮像装置。
【請求項５】
前記制御手段は、前記演算値の大きさと前記複数の領域のそれぞれに対応する前記撮像素子の記録画素領域における位置との関係から前記補正量を定めたテーブルを参照することにより、前記補正量を決定することを特徴とする請求項２乃至４のいずれか１項に記載の撮像装置。
【請求項６】
被写体からの光を結像するレンズと、
前記レンズにより結像された光学像を電気信号に変換する撮像素子と、
前記撮像素子に結像される光の透光／遮光を制御する遮光手段と、
前記撮像素子から出力される電気信号を画像データに変換する信号処理手段と、
前記信号処理手段により変換された画像データに対して輝度シェーディング補正を行う補正手段と、
前記補正手段が前記輝度シェーディング補正に用いる補正量を撮影時の撮影条件に基づいて決定する制御手段と、を備えることを特徴とする撮像装置。
【請求項７】
前記撮影条件は、少なくとも、前記被写体の撮影時の、前記撮像素子の周辺温度、シャッタスピード及びＩＳＯ感度のいずれかを含むことを特徴とする請求項６に記載の撮像装置。
【請求項８】
前記制御手段は、前記周辺温度が高くなるに従って、また、前記シャッタスピードが遅くなるに従って、また、前記ＩＳＯ感度が高くなるに従って、前記補正量を小さく設定することを特徴とする請求項７に記載の撮像装置。
【請求項９】
前記制御手段は、前記撮像素子の周辺温度、前記シャッタスピード及び前記ＩＳＯ感度の少なくとも２つの関係から前記補正量を定めたテーブルを参照することにより、前記補正量を決定することを特徴とする請求項７又は８に記載の撮像装置。
【請求項１０】
光学像を撮像素子により電気信号に変換し、前記撮像素子から出力される電気信号を画像データに変換する撮像装置の制御方法であって、
前記撮像素子に結像する光の透光／遮光を制御する遮光手段により、遮光された状態で遮光画像を撮影する撮影ステップと、
前記撮影ステップで得られた遮光画像の画像データから暗電流ムラ量を示す演算値を求める演算ステップと、
前記演算ステップで求めた演算値の大きさに基づいて輝度シェーディング補正に用いる補正量を決定する決定ステップと、
前記決定ステップで決定された補正量に基づいて前記画像データに対して輝度シェーディング補正を行う補正ステップと、を有することを特徴とする撮像装置の制御方法。
【請求項１１】
前記決定ステップでは、前記遮光画像の画像データを複数の領域に分割し、それぞれの領域について前記演算値を求め、前記演算値が最も大きい領域に対応する前記撮像素子の記録画素領域における位置及び前記演算値の大きさに基づいて、前記補正量を決定することを特徴とする請求項１０に記載の撮像装置の制御方法。
【請求項１２】
前記決定ステップでは、前記遮光画像の画像データを、ｍ，ｎを自然数として、ｍ×ｎの領域に分割することを特徴とする請求項１１に記載の撮像装置の制御方法。
【請求項１３】
前記決定ステップでは、前記複数の領域のうち前記演算値が最も大きい領域が前記撮像素子の記録画素領域の周辺部に位置する場合には、前記演算値が最も大きい領域が前記撮像素子の記録画素領域の中央部に位置する場合よりも前記補正量を小さく設定することを特徴とする請求項１１又は１２に記載の撮像装置の制御方法。
【請求項１４】
前記決定ステップでは、前記演算値の大きさと前記複数の領域のそれぞれに対応する前記撮像素子の記録画素領域における位置との関係から前記補正量を定めたテーブルを参照することにより、前記補正量を決定することを特徴とする請求項１１乃至１３のいずれか１項に記載の撮像装置の制御方法。
【請求項１５】
光学像を撮像素子により電気信号に変換し、前記撮像素子から出力される電気信号を画像データに変換する撮像装置の制御方法であって、
前記撮像素子に結像する光の透光／遮光を制御する遮光手段により、遮光された状態で遮光画像を撮影する撮影ステップと、
前記撮影ステップで得られた遮光画像の画像データから暗電流ムラ量を示す演算値を求める演算ステップと、
撮影時の撮影条件に基づいて輝度シェーディング補正に用いる補正量を決定する決定ステップと、
前記決定ステップで決定された補正量に基づいて前記画像データに対して輝度シェーディング補正を行う補正ステップと、を有することを特徴とする撮像装置の制御方法。
を備えることを特徴とする撮像装置の制御方法。
【請求項１６】
前記撮影条件は、少なくとも、前記撮影時の、前記撮像素子の周辺温度、シャッタスピード及びＩＳＯ感度のいずれかを含むことを特徴とする請求項１５記載の撮像装置の制御方法。
【請求項１７】
前記決定ステップでは、前記周辺温度が高くなるに従って、また、前記シャッタスピードが遅くなるに従って、また、前記ＩＳＯ感度が高くなるに従って、前記補正量を小さく設定することを特徴とする請求項１６に記載の撮像装置の制御方法。
【請求項１８】
前記決定ステップでは、前記撮像素子の周辺温度、前記シャッタスピード及び前記ＩＳＯ感度の少なくとも２つの関係から前記補正量を定めたテーブルを参照することにより、前記補正量を決定することを特徴とする請求項１６又は１７に記載の撮像装置の制御方法。